(57)【要約】【課題】  ユーザ操作検出部によって指紋読取及びロックの操作を容易に行うことができる携帯通信端末を提供することを目的とする。【解決手段】  ユーザ操作を検出し、操作開始信号及び操作終了信号を出力するユーザ操作検出部２６と、上記操作開始信号に基づいて指紋を読み取り、指紋読取データを出力する指紋読取部２３と、指紋登録データを予め保持する指紋登録データ記憶部３１と、上記指紋読取データ及び上記指紋登録データを照合する指紋認証部４１と、上記指紋認証部４１の照合結果に基づいて本人認証を必要とする機能のアンロックを行い、アンロック後における上記操作終了信号に基づいてロックを行うロック制御部４２とを備える。【選択図】  図５
2006174090.tif 000002
【特許請求の範囲】
【請求項１】
ユーザ操作を検出し、操作開始信号及び操作終了信号を出力するユーザ操作検出部と、
上記操作開始信号に基づいて指紋を読み取り、指紋読取データを出力する指紋読取部と、
指紋登録データを予め保持する指紋登録データ記憶部と、
上記指紋読取データ及び上記指紋登録データを照合する指紋認証部と、
上記指紋認証部の照合結果に基づいて本人認証を必要とする機能のアンロックを行い、アンロック後における上記操作終了信号に基づいてロックを行うロック制御部とを備えることを特徴とする携帯通信端末。
【請求項２】
上記ユーザ操作検出部が押圧検出装置からなることを特徴とする請求項１に記載の携帯通信端末。
【請求項３】
上記ユーザ操作検出部が、筐体において上記指紋読取部と同一の面の、指紋読取を行う指で指紋読取と同時に操作することが可能な位置に設けられたことを特徴とする請求項１に記載の携帯通信端末。
【請求項４】
上記ユーザ操作検出部が、上記指紋読取部の読取面上に設けられた透明のタッチパネルであることを特徴とする請求項３に記載の携帯通信端末。
【請求項５】
上記ユーザ操作検出部が、筐体において上記指紋読取部と対向する面の、指紋読取を行う指及び上記指紋読取を行う指が属する手の他の指で上記筐体をはさみこむように保持する場合に上記他の指で容易に操作可能な位置に設けられたことを特徴とする請求項１に記載の携帯通信端末。
【請求項６】
上記ユーザ操作検出部が、可動式ボタンであり、
上記可動式ボタンが、指紋読取が行われている指で操作可能な位置に設けられたことを特徴とする請求項３に記載の携帯通信端末。
【発明の詳細な説明】
【技術分野】
【０００１】
本発明は携帯通信端末に係り、さらに詳しくは指紋照合を行うことができる携帯通信端末に関する。
【背景技術】
【０００２】
近年、携帯通信端末として携帯電話機が広く利用されている。その機能は通話機能のみならず、電話帳、スケジュール管理、電子メール、ＷＥＢブラウザに広がり、さらには銀行取引、電子マネー、電子商取引などの資金移動を伴うサービスが始まるに至った。
【０００３】
携帯電話機のセキュリティ性を高めるため、従来からパスワードによる本人確認機能が備えられていた。しかし、現在は携帯電話機の機能が資金移動を伴うサービスにまで広がるに至っているため、パスワードよりも高度で操作性の高いセキュリティ性が求められている。
【０００４】
このため、指紋や声紋等の生体情報を利用した本人確認機能を備えた携帯電話機が提案されている（例えば、特許文献１）。また、指紋照合装置を備えた携帯電話機があった。特許文献１に記載された携帯電話機では、ユーザの指紋により本人の認証に成功したとき、アンロック（開錠）及びロック（施錠）が行われる。
【特許文献１】特開２００２−３４０７５号公報
【発明の開示】
【発明が解決しようとする課題】
【０００５】
特許文献１に記載された携帯電話機の場合、ユーザがアンロックする場合のみならず、ロックする場合においても指紋照合の作業をしなければならず、ロックの作業が煩雑で迅速性に欠けるという問題や、ユーザがロックするのを忘れてしまう場合があるという問題があった。
【０００６】
この様な問題を解決するために、アンロック後に所定の設定時間が経過すれば自動的にロックがかかるという方法を採用することが考えられる。ロックをする場合にユーザが指紋照合をする必要がなく、またユーザがロックを忘れても設定時間が経過すればロックがかかるからである。ところがその設定時間が長いと、ロックがかかる前に携帯電話機を紛失したり盗難に遭った場合に、第三者に携帯電話機を悪用される可能性があるという問題があった。また、その設定時間が短いと、アンロック後、例えば通話中にユーザの意思に反してロックがかかってしまい、安定的、継続的に携帯電話機の機能を利用できないという問題があった。
【０００７】
本発明は、上記の事情に鑑みてなされたものであり、指紋読取を行う携帯通信端末のアンロック後のロックの操作を容易で確実なものにすることを目的とする。特に、ユーザ操作検出部から指を離すことによって自動的にロックがかかるようにすることで、ロック忘れを防止し、適切なタイミングで確実にロックを行うことができることを目的とする。
【課題を解決するための手段】
【０００８】
第１の本発明による携帯通信端末は、ユーザ操作を検出し、操作開始信号及び操作終了信号を出力するユーザ操作検出部と、上記操作開始信号に基づいて指紋を読み取り、指紋読取データを出力する指紋読取部と、指紋登録データを予め保持する指紋登録データ記憶部と、上記指紋読取データ及び指紋登録データを照合する指紋認証部と、上記指紋認証部の照合結果に基づいて本人認証を必要とする機能のアンロックを行い、アンロック後における上記操作終了信号に基づいてロックを行うロック制御部とを備えて構成される。
【０００９】
ロック制御において「ロック状態」とは、所定のプログラムの起動や、所定のファイルへのアクセスや、キー操作等の各処理が禁止されている状態のことである。「アンロック状態」とはプログラムの起動、ファイルへのアクセス、キー操作等のすべての処理が許可されている状態のことである。また、携帯通信端末の状態を「アンロック状態」から「ロック状態」に変更することを「ロック」とし、「ロック状態」から「アンロック状態」に変更することを「アンロック」とする。
【００１０】
この様な構成により、ユーザがユーザ操作検出部を操作することにより操作開始信号が出力され、当該操作開始信号に基づいて指紋読取部が指紋を読み取り、指紋認証部が読み取られた指紋読取データと予め指紋登録データ記憶部に格納された指紋登録データとを比較し、一致した場合にロック制御部がアンロックを行う。次に、ユーザが上記操作を終了することにより、ユーザ操作検出部から操作終了信号が出力され、当該操作終了信号に基づいてロック制御部が再ロックを行う。この様に、ユーザ操作検出部及び指紋認証部の組み合わせにより、適切で確実なロック及びアンロック操作を行うことができる。
【００１１】
なお、上記ユーザ操作検出部に用いられるセンサは、静電容量方式のタッチパネルでもよく、赤外線などの光学式センサでもよく、指を離すことで自動的に復元するボタン又はスライダでもよく、指を触れると操作が開始し指を離すと操作が終了するものでもよく、指を触れてから離すと操作が開始し再度指を触れてから離すと操作が終了するものでもよい。触れる指も、携帯通信端末の使用形態によっては人差し指である場合や、親指である場合等、異なる指が触れてもよい。
【００１２】
第２の本発明による携帯通信端末は、上記構成に加えて、上記ユーザ操作検出部が、筐体において上記指紋読取部と同一の面の、指紋読取を行う指で指紋読取と同時に操作することが可能な位置に設けられることで構成される。この様な構成により、ユーザは片手のみで容易に指紋読取の開始及びアンロックの操作を行うことができ、携帯通信端末の機能のうちキー操作を必要とする機能及び通話機能を除く機能においてのロック、アンロック操作を容易かつ迅速に行うことができる。
【００１３】
第３の本発明による携帯通信端末は、上記構成に加えて、上記ユーザ操作検出部を、上記指紋読取部の読取面上に設けられた透明のタッチパネルにすることで構成される。この様な構成により、ユーザは片手のみで容易に指紋読取の開始及びアンロックの操作を行うことができ、携帯通信端末の機能のうちキー操作を必要とする機能及び通話機能を除く機能においてのロック、アンロック操作を容易かつ迅速に行うことができる。
【００１４】
第４の本発明による携帯通信端末は、上記構成に加えて、上記ユーザ操作検出部が、筐体において上記指紋読取部と対向する面の、指紋読取を行う指及び上記指紋読取を行う指が属する手の他の指で上記筐体をはさみこむように保持する場合に上記他の指で容易に操作可能な位置に設けられたことで構成される。この様な構成により、ユーザは片手のみで容易に指紋読取の開始及びアンロックの操作を行うことができ、携帯通信端末の機能のうちキー操作を必要とする機能及び通話機能を除く機能においてのロック、アンロック操作を容易かつ迅速に行うことができる。
【発明の効果】
【００１５】
本発明によれば、ユーザ操作検出部によって指紋読取及びロックの操作を容易に行うことができる携帯通信端末を提供することができる。特に、ユーザ操作検出部から指を離すことによって自動的にロックがかかるようにすることで、良好な操作性が得られる。また、ロック忘れも防止することもできる。
【発明を実施するための最良の形態】
【００１６】
実施の形態１．
図１は、本発明の実施の形態１による携帯通信端末の一例を示した図であり、折りたたみ可能な携帯電話機の折りたたんだ状態における外観を示した斜視図が示されている。この携帯通信端末は、操作筐体１、表示筐体２及び可動連結部３により構成され、操作筐体１及び表示筐体２はともに概ね矩形平板の形状からなる薄型筐体であり、対向する２つの主面及び端面を有している。これらの操作筐体１及び表示筐体２は、それぞれの一短辺が可動連結部３により連結されており、両筐体を相対的に回転させることができる。携帯通信端末を折りたたんだ状態は、操作筐体１の操作面及び表示筐体２の表示面を内側に対向させて閉じた状態であり、折りたたんだ状態の表示筐体２の外部には指紋読取部２３とユーザ操作検出部２６が設けられている。
【００１７】
図２は、図１の携帯通信端末の開いた状態における外観を示した斜視図であり、操作筐体１の操作面には操作キー１２及び通話用マイクロフォン１４が備えられ、表示筐体２の表示面にはディスプレイ１１及び通話用レシーバ１３が備えられている。表示筐体２の表示面に向かって左側の端面に指紋読取部２３及びユーザ操作検出部２６が設けられ、ユーザがユーザ操作検出部２６に指を触れることで、指紋読取部２３は読取面に置かれた指先の指紋を読み取り、認証が成功すればアンロックが行われる。アンロック後、ユーザがユーザ操作検出部２６から指を離すと再ロックが行われる。なお、上記表示筐体に備えられた指紋読取部２３及びユーザ操作検出部２６は、操作筐体に備えられてもよい。
【００１８】
上記指紋読取部２３及び上記ユーザ操作検出部２６は筐体において同じ位置に備えられる必要はなく、異なる位置に備えられてもよい。例えば、指紋読取部２３は筐体の主面に備えられるとともにユーザ操作検出部２６は筐体の端面に備えられてもよく、指紋読取部２３及びユーザ操作検出部２６はともに筐体の主面に備えられてもよい。また、指紋読取部２３及びユーザ操作検出部２６は、筐体の表示面に向かって右側の端面に備えられてもよい。
【００１９】
つまり、指紋読取部２３及びユーザ操作検出部２６は、携帯通信端末を開いた状態においても折りたたんだ状態においても使用可能な位置、つまり携帯通信端末を折りたたんだ状態において外部に露出する位置に備えればよい。なお、指紋読取部２３及びユーザ操作検出部２６を設ける携帯通信端末は折りたたみが可能なものに限られない。すなわち、いわゆるストレートタイプにも本発明を適用することができる。
【００２０】
図３に示された指紋読取部２３及びユーザ操作検出部２６は、図１の携帯通信端末におけるＡ−Ａ断面に相当する。指紋読取部２３の読取面には、ユーザ操作検出部２６として静電容量方式で薄いフィルム状の透明なタッチパネルが貼られている。このユーザ操作検出部２６にユーザが指を触れるのと同時に、指紋読取部２３が触れている指の指紋を読み取ることができる。指紋読取部２３はＣＣＤを用いた受光素子１５及びＬＥＤを用いた光源１６により構成され、光源１６が発した光が指紋読取部２３の読取面に置いた指先の指紋に当たって反射し、この反射光が受光素子１５によって読み取られる。タッチパネルは指で触れたことを電気的に検知することができるものであり、光方式でもよく、抵抗膜方式でもよく、超音波方式でもよい。光源１６は発光する素子であればＬＥＤでなくてもよく、受光素子１５はＣ-ＭＯＳイメージセンサでもよい。
【００２１】
図４は、図１の携帯通信端末内部の一構成例を示したブロック図である。主制御部２０は、携帯通信端末の主要な制御を行っているプロセッサやメモリからなる。無線部２５は、アンテナを介してセルラー無線基地局（不図示）との間で無線通信を行っている。表示制御部２１は、主制御部２０からの画面データに基づいて、ディスプレイ１１の駆動制御を行うＬＣＤコントローラである。音声制御部２２は通話音声の入出力制御を行っており、受話音を通話用レシーバ１３へ出力するともに、通話用マイクロフォン１４から送話音が入力される。操作キー１２はユーザーが文字や数字の入力を行うためのものである。
【００２２】
微弱無線部２４は、微弱な無線電波を用いて外部のリーダライタ（不図示）と通信を行うものであり、鉄道の乗車券や定期券、買い物の代金支払いに利用されている、いわゆる「非接触型ＩＣカード」及び「ＩＣタグ」とリーダライタを共用するものである。非接触型ＩＣカード及びＩＣタグとは、ＩＣ内にコイルアンテナを有し、外部のリーダライタから送受信回路の電源電力の供給を受けると同時に微弱無線による通信を行うものを指す。なお、コイルアンテナはカード内のＩＣの外部に備えられるものもある。
【００２３】
この微弱無線部２４は、パターン形成によって作られる平面式のコイルアンテナを内蔵してもよく、着脱可能なコイルアンテナ付きのＩＣカードを使用してもよい。また、電源については外部のリーダライタから電力供給を受けてもよい。
【００２４】
ユーザ操作検出部２６は、その検出信号に基づいて操作開始及び操作終了の状態を判別している。アンロック操作を行う場合、ユーザがユーザ操作検出部２６に指を触れると、ユーザ操作検出部２６から主制御部２０へ操作開始信号が出力される。主制御部２０は操作開始信号に基づいて指紋読取部２３に指紋読取開始信号を出力する。指紋読取部２３は指紋読取開始信号に基づいてユーザの指紋を読み取り、読取データを主制御部２０へ出力する。
【００２５】
図５は、図４の主制御部２０の要部について一構成例を示したブロック図である。上述したとおり、主制御部２０はプロセッサからなり、図示した各ブロックは、当該プロセッサによって実行されるソフトウェアとして実現される。この主制御部２０は、不揮発性メモリ、指紋認証部４１、ロック制御部４２、プログラム制御部４３により構成される。
【００２６】
不揮発性メモリは、データ保持に電源供給を必要としない記憶手段、例えばフラッシュメモリが使用される。この不揮発性メモリには、指紋登録データ記憶部３１が含まれており、予めユーザの指紋情報が格納されている。
【００２７】
指紋認証部４１は、指紋読取部２３で読み取られた指紋読取データと予め指紋登録データ記憶部３１に格納された指紋登録データとを比較し、一致した場合に一致信号を出力する。ロック制御部４２は上記一致信号に基づいて、プログラム制御部４３にアンロック信号を送信する。
【００２８】
プログラム制御部４３では、アンロック信号に基づいて各プログラムの処理を制御することによって、アプリケーションの起動許可や、ファイルアクセスの許可や、キー操作の許可等を行う。具体的には、電子マネー、通話プログラム、Ｗｅｂブラウザ、電子メール、携帯通信端末自体の起動などのアプリケーションの起動許可、電話帳などのファイルアクセスの許可等の処理を行う。
【００２９】
次に、再ロックを行う場合を説明する。ユーザがユーザ操作検出部２６から指を離すと、ユーザ操作検出部２６から主制御部２０へ操作終了信号が出力される。主制御部２０では操作終了信号に基づいてロック制御部４２が、プログラム制御部４３にロック信号を送信する。プログラム制御部４３では、ロック信号に基づいて各プログラムの処理を制御することによって、アプリケーションの起動禁止や、ファイルアクセスの禁止や、キー操作の禁止等の処理を行う。禁止するプログラムは全てのプログラムでもよく、ユーザが指定する一部のプログラムでもよい。
【００３０】
図６のステップＳ１０１〜Ｓ１０７は、図１の携帯通信端末におけるユーザ操作検出部２６に関する入力制御の一例を示したフローチャートである。まず、ユーザ操作検出部２６がユーザ操作の検出処理を行う。この検出処理はユーザがユーザ操作検出部２６に触れるまで、周期的に繰り返される。ユーザがユーザ操作検出部２６に触れることにより、ユーザ操作検出部２６は操作開始信号を出力する（ステップＳ１０１）。
【００３１】
次に、操作開始信号に基づいて指紋読取部２３がユーザの指紋データの読み取りを行う（ステップＳ１０２）。指紋認証部４１は、読み取られた指紋読取データと、予め指紋登録データ記憶部３１に登録されたユーザの指紋登録データの比較を行う（ステップＳ１０３）。
【００３２】
指紋読取データと指紋登録データが一致しなかった場合、前もって設定した回数に至るまで連続して再度ユーザの指紋データの読み取り及び指紋読取データと指紋登録データの比較が繰り返して行われる。このとき指紋読取データと指紋登録データが前もって設定した回数に至るまで連続して一致しなかった場合、再度ユーザ操作の検出待ち状態に戻る（ステップＳ１０４）。
【００３３】
ステップＳ１０３において、指紋読取データと指紋登録データが一致した場合、指紋認証部４１からロック制御部４２に一致信号が送られ、ロック制御部４２はアンロック信号を出力し、プログラム制御部４３がアンロック信号に基づいて各プログラム処理の制御を行う（ステップＳ１０５）。アンロックされた状態において、ユーザは通話、電子メールなど、本人認証を必要とする機能が使用可能になる。
【００３４】
アンロックがなされた状態において、ユーザ操作検出部２６がユーザ操作の検出処理を行う。この検出処理はユーザがユーザ操作検出部２６から指を離すまで、周期的に繰り返される。ユーザがユーザ操作検出部２６から指を離すことにより、ユーザ操作検出部２６は主制御部２０へ操作終了信号を出力する（ステップＳ１０６）。操作終了信号に基づいて主制御部２０の内部ではロック制御部４２がロック信号を出力し、プログラム制御部４３がロック信号に基づいて各プログラム処理の制御を行う（ステップＳ１０７）。このため、ユーザがユーザ操作検出部２６から指を離さない限り、アンロック状態が維持される。
【００３５】
図７は、図１の携帯通信端末において、片手で操作可能なユーザ操作検出部２６及び指紋読取部２３の配置の一例を示した斜視図である。図７（ａ）はユーザ操作検出部２６が筐体において指紋読取部２３と対向する面の、指紋読取を行う指と他の指で携帯通信端末をはさみこむように保持する場合に他の指で容易に操作可能な位置に構成された例である。ユーザは指紋読取部２３の読取面に指紋読取を行う指を置き、指紋読取を行う指が属する手の他の指でユーザ操作検出部２６の操作を行う。
【００３６】
図７（ｂ）はユーザ操作検出部２６を筐体において指紋読取部２３と同一の面の、指紋読取を行う指で指紋読取と同時に操作することが可能な位置に構成された例である。ユーザは指紋読取部２３の読取面に指紋読取を行う指を置き、同時に当該指紋読取を行っている指でユーザ操作検出部２６の操作を行う。図７（ａ）及び図７（ｂ）のいずれの場合でも、携帯通信端末を閉じた状態においてユーザは容易に指紋読取の開始及びアンロックの操作を行うことができ、携帯通信端末の機能のうちキー操作を必要とする機能及び通話機能を除く機能のロック、アンロック操作を容易に行うことができる。
【００３７】
図８は、図１の携帯通信端末において、利用形態によって指紋認証に用いる指が異なる場合の一例を示した斜視図である。図８は携帯通信端末を折りたたんだ状態において指紋を読み取る場合の例であり、操作筐体１の操作面、表示筐体２の表示面を内側に対向させて閉じた状態において、表示筐体２に備えられた指紋読取部２３の読取面にユーザの人差し指が置かれている。図９は携帯通信端末を開いた状態において指紋を読み取る場合の例であり、表示筐体２に備えられた指紋読取部２３の読取面にユーザの親指が置かれている。この様に利用形態によって異なる指の指紋を指紋認証に用いることができるように、指紋登録データ記憶部３１は２種類以上の指紋データを記憶することができるようにしてもよい。
【００３８】
図１０（ａ）及び（ｂ）は、図１の携帯通信端末において、ユーザ操作検出部２６をスライダ５０とした時の一例を示した状態遷移図である。図１０（ａ）の状態から、スライダ５０を指で動かすことで図１０（ｂ）の状態となる。この状態において、スライダ５０を動かした指の指紋の読み取りが行われる。また、指をスライダから離すことでスライダ５０は自動的に図１０（ａ）の状態に戻る。
【図面の簡単な説明】
【００３９】
【図１】本発明の実施の形態１による携帯通信端末の一例を示した図であり、折りたたみ可能な携帯電話機の折りたたんだ状態における外観を示した斜視図である。
【図２】図１の携帯通信端末の開いた状態における外観を示した斜視図である。
【図３】図１の携帯通信端末における断面図である。
【図４】図１の携帯通信端末内部の一構成例を示したブロック図である。
【図５】図４の主制御部２０の要部について一構成例を示したブロック図である。
【図６】図１の携帯通信端末におけるユーザ操作検出部２６に関する入力制御の一例を示したフローチャートである。
【図７】図１の携帯通信端末において、片手で操作可能なユーザ操作検出部２６及び指紋読取部２３の配置の一例を示した斜視図である。
【図８】図１の携帯通信端末において、利用形態によって指紋認証に用いる指が異なる場合の一例を示した斜視図である。
【図９】図１の携帯通信端末において、利用形態によって指紋認証に用いる指が異なる場合の一例を示した斜視図である。
【図１０】図１の携帯通信端末において、ユーザ操作検出部２６をスライダ５０とした時の一例である。
【符号の説明】
【００４０】
１    操作筐体
２    表示筐体
３    可動連結部
１１    ディスプレイ
１２    操作キー
１３    通話用レシーバ
１４    通話用マイクロフォン
１５    受光素子
１６    光源
２０    主制御部
２１    表示制御部
２２    音声制御部
２３    指紋読取部
２４    微弱無線部
２５    無線部
２６    ユーザ操作検出部
３１    指紋登録データ記憶部
４１    指紋認証部
４２    ロック制御部
４３    プログラム制御部
５０    スライダ
【図１】
2006174090.tif 000003
【図２】
2006174090.tif 000004
【図３】
2006174090.tif 000005
【図４】
2006174090.tif 000006
【図５】
2006174090.tif 000007
【図６】
2006174090.tif 000008
【図７】
2006174090.tif 000009
【図８】
2006174090.tif 000010
【図９】
2006174090.tif 000011
【図１０】
2006174090.tif 000012